(57)【要約】【課題】予約変更によって不都合が生じる可能性があることをユーザに知らせることができる技術を提供する。【解決手段】衣類処理装置は、携帯端末と通信可能である。前記衣類処理装置は、衣類処理運転の予約設定を受け付ける第１操作部を備えており、第１衣類処理運転と、前記第１衣類処理運転とは運転条件が異なる第２衣類処理運転とを実行可能である。前記携帯端末は、前記衣類処理装置の衣類処理運転の予約変更を受け付ける第２操作部と、表示部と、を備えている。前記携帯端末の前記表示部は、前記衣類処理装置の前記第１操作部が前記第１衣類処理運転の予約設定を受け付けた場合であって、前記携帯端末の前記第２操作部が前記第１衣類処理運転の予約から前記第２衣類処理運転の予約への予約変更を受け付けた場合に、所定の条件に基づいて前記第１衣類処理運転の予約から前記第２衣類処理運転の予約への変更が不適切である状態と判断された場合は注意喚起情報を表示する。【選択図】図１２
2020000427.tif 000002
【特許請求の範囲】
【請求項１】
携帯端末と通信可能な衣類処理装置であって、
前記衣類処理装置は、衣類処理運転の予約設定を受け付ける第１操作部を備えており、第１衣類処理運転と、前記第１衣類処理運転とは運転条件が異なる第２衣類処理運転とを実行可能であり、
前記携帯端末は、前記衣類処理装置の衣類処理運転の予約変更を受け付ける第２操作部と、表示部と、を備えており、
前記携帯端末の前記表示部は、前記衣類処理装置の前記第１操作部が前記第１衣類処理運転の予約設定を受け付けた場合であって、前記携帯端末の前記第２操作部が前記第１衣類処理運転の予約から前記第２衣類処理運転の予約への予約変更を受け付けた場合に、所定の条件に基づいて前記第１衣類処理運転の予約から前記第２衣類処理運転の予約への変更が不適切である状態と判断された場合は注意喚起情報を表示する、衣類処理装置。
【請求項２】
前記衣類処理装置は、所定の条件に基づいて前記第１衣類処理運転の予約から前記第２衣類処理運転の予約への変更が可能である状態と判断された場合は、前記変更に基づく処理を実行する、請求項１に記載の衣類処理装置。
【請求項３】
前記衣類処理装置は、所定の条件に基づいて前記第１衣類処理運転の予約から前記第２衣類処理運転の予約へ変更が可能である状態と判断された場合は、前記第２衣類処理運転について予め設定されている運転条件に基づいて前記第２衣類処理運転を実行する、請求項２に記載の衣類処理装置。
【発明の詳細な説明】
【技術分野】
【０００１】
本明細書に開示する技術は、衣類処理装置に関する。
【背景技術】
【０００２】
特許文献１には、携帯端末と通信可能な洗濯機が開示されている。特許文献１の洗濯機は、ユーザが洗濯機の予約待機中ボタンを押して設定したときのみ、宅外から携帯端末による遠隔制御ができるように構成されている。
【先行技術文献】
【特許文献】
【０００３】
【特許文献１】特開２００４−３５０９３０号公報
【発明の概要】
【発明が解決しようとする課題】
【０００４】
洗濯機が複数の運転を実行可能に構成されていることがある。この場合に、複数の運転のうちの１つの運転（第１運転）の予約設定が行われることがある。また、設定された運転の予約が変更されることがある。すなわち、設定された第１運転の予約から、第１運転とは異なる第２運転の予約に設定変更されることがある。また、洗濯機と通信可能な携帯端末から遠隔制御で予約変更が行われることもある。このような予約変更が行われた場合に不都合が生じることがある。
【０００５】
例えば、まず少量の洗剤のみを必要とする運転（第１運転）の予約設定が行われたとする。その後に、設定された第１運転の予約から、多量の洗剤を必要とする運転（第２運転）の予約に設定変更されたとする。この場合は、予約変更後の第２運転で洗剤が不足するので、洗濯機で良好な洗濯を行うことができない。また、この場合と反対に、まず多量の洗剤を必要とする運転（第１運転）の予約設定が行われたとする。その後に、設定された第１運転の予約から、少量の洗剤のみを必要とする運転（第２運転）の予約に設定変更されたとする。この場合は、予約変更後の第２運転で洗剤が超過するので、余分な洗剤によって生じた泡が洗濯機外に溢れ出ることがある。更に、洗濯機と通信可能な携帯端末から遠隔制御で予約変更が行われた場合は、洗濯機の近くにユーザが存在しないので、予約変更によって生じる不都合に即座に対応することができない。そこで、本明細書は、予約変更によって不都合が生じる可能性があることをユーザに知らせることができる技術を提供する。
【課題を解決するための手段】
【０００６】
本明細書に開示する衣類処理装置は、携帯端末と通信可能である。前記衣類処理装置は、衣類処理運転の予約設定を受け付ける第１操作部を備えており、第１衣類処理運転と、前記第１衣類処理運転とは運転条件が異なる第２衣類処理運転とを実行可能である。前記携帯端末は、前記衣類処理装置の衣類処理運転の予約変更を受け付ける第２操作部と、表示部と、を備えている。前記携帯端末の前記表示部は、前記衣類処理装置の前記第１操作部が前記第１衣類処理運転の予約設定を受け付けた場合であって、前記携帯端末の前記第２操作部が前記第１衣類処理運転の予約から前記第２衣類処理運転の予約への予約変更を受け付けた場合に、所定の条件に基づいて前記第１衣類処理運転の予約から前記第２衣類処理運転の予約への変更が不適切である状態と判断された場合は注意喚起情報を表示する。
【図面の簡単な説明】
【０００７】
【図１】実施例に係る衣類処理システムの概略構成を示す図である。
【図２】実施例に係る衣類処理システムのブロック図である。
【図３】実施例に係る洗濯乾燥機が実行する運転の一例を示す図である。
【図４】実施例に係る洗濯乾燥機が実行する運転の運転条件の一例を示す図である。
【図５】実施例に係る洗濯乾燥機が実行する運転で推奨される洗剤量の一例を示す図である。
【図６】実施例に係る洗濯乾燥機の第１の運転選択画面の一例を示す図である。
【図７】実施例に係る洗濯乾燥機の第２の運転選択画面の一例を示す図である。
【図８】実施例に係る洗濯乾燥機の予約設定画面の一例を示す図である。
【図９】実施例に係る衣類処理システムで実行される予約設定処理のフローチャートである。
【図１０】実施例に係る携帯端末の予約変更画面の一例を示す図である。
【図１１】第１実施例に係る衣類処理システムで実行される予約変更処理のフローチャートである。
【図１２】実施例に係る衣類処理システムで実行される表示処理のフローチャートである。
【図１３】予約変更不適切である状態と判断された場合の表示画面の一例を示す図である。
【図１４】第２実施例に係る衣類処理システムで実行される予約変更処理のフローチャートである。
【図１５】第３実施例に係る衣類処理システムで実行される予約変更処理のフローチャートである。
【図１６】第３実施例に係る洗濯乾燥機が実行する運転の運転条件の一例を示す図である。
【図１７】第４実施例に係る衣類処理システムで実行される予約変更処理のフローチャートである。
【図１８】第５実施例に係る衣類処理システムで実行される運転条件設定処理のフローチャートである。
【図１９】第６実施例に係る衣類処理システムで実行される運転条件設定処理のフローチャートである。
【発明を実施するための形態】
【０００８】
（第１実施例）
実施例に係る衣類処理システム１について図面を参照して説明する。図１及び図２に示すように、実施例に係る衣類処理システム１は、洗濯乾燥機１０（衣類処理装置の一例）と、携帯端末３０とを備えている。洗濯乾燥機１０と携帯端末３０とは、ネットワーク５０を介して通信可能に接続されている。ネットワーク５０は、例えばインターネットやＶＰＮ（Virtual Private Network）である。
【０００９】
洗濯乾燥機１０は、例えばドラム式又は縦型の洗濯乾燥機である。洗濯乾燥機１０は、例えばシャツやズボン等の衣類を洗濯運転によって洗濯することができる。また、洗濯乾燥機１０は、乾燥運転によって衣類を乾燥させることができる。
【００１０】
洗濯乾燥機１０は、例えば、筐体１９、回転槽１５、モータ１６、ヒータ１７及びファン１８を備えている。洗濯乾燥機１０の筐体１９内に、回転槽１５、モータ１６、ヒータ１７及びファン１８が配置されている。回転槽１５は、有底筒状に構成されている。回転槽１５内には、洗濯又は乾燥用の衣類が収容される。回転槽１５は、筐体１９に対して回転可能に支持されている。モータ１６は、洗濯運転中及び乾燥運転中に回転槽１５を回転させる。ヒータ１７は、乾燥運転中に回転槽１５内の衣類を乾燥させるための空気を加熱する。ファン１８は、乾燥運転中にヒータ１７によって加熱された空気を回転槽１５に送風する。また、洗濯乾燥機１０は、洗剤投入口２９を備えている。洗剤投入口２９は、筐体１９の上部に設けられている。洗剤投入口２９から洗濯用の洗剤が投入される。
【００１１】
また、洗濯乾燥機１０は、制御部１１と、表示部１２と、操作部１３（第１操作部の一例）とを備えている。制御部１１は、ＣＰＵ２１と、メモリ２２と、ＲＴＣ２３とを備えている。ＣＰＵ２１は、メモリ２２に記憶されているプログラムに従って様々な処理を実行する。メモリ２２は、例えばＲＯＭとＲＡＭ（図示省略）を備えている。メモリ２２は、様々な情報を記憶する。ＲＴＣ２３は、時計としての機能を有しており、時刻を計ることができる。洗濯乾燥機１０の制御部１１が実行する処理については後述する。
【００１２】
洗濯乾燥機１０の表示部１２と操作部１３とは、タッチパネルとして一体に構成されている。表示部１２は、例えば液晶パネルを備えている。表示部１２は、洗濯乾燥機１０の各機能や各動作に関する情報を表示する。例えば、表示部１２は、洗濯乾燥機１０における洗濯運転や乾燥運転に関する予約情報等を表示する。また、操作部１３は、例えば洗濯乾燥機１０の各機能や各動作を実行するための複数のタッチボタンを備えている。操作部１３は、洗濯乾燥機１０のユーザによる入力操作を受け付ける。洗濯乾燥機１０のユーザが操作部１３のボタンを操作することによって様々な情報が入力される。例えば、洗濯乾燥機１０のユーザが、洗濯乾燥機１０における洗濯運転や乾燥運転に関する予約情報等を操作部１３から入力する。洗濯乾燥機１０のユーザが操作部１３のボタンを操作すると、操作されたボタンに従った信号が操作部１３から制御部１１に送信される。表示部１２と操作部１３とは、例えば筐体１９の上面の配置されている。表示部１２と操作部１３とは、別体に構成されていてもよい。なお、洗濯乾燥機１０のハードウェアの構成は特に限定されるものではない。
【００１３】
衣類処理システム１の携帯端末３０は、例えばスマートフォンやタブレットＰＣである。携帯端末３０は、制御部３１と、表示部３２と、操作部３３（第２操作部の一例）とを備えている。制御部３１は、ＣＰＵ４１と、メモリ４２と、ＲＴＣ４３とを備えている。ＣＰＵ４１は、メモリ４２に記憶されているプログラムに従って様々な処理を実行する。メモリ４２は、例えばＲＯＭとＲＡＭ（図示省略）を備えている。メモリ４２は、様々な情報を記憶する。ＲＴＣ４３は、時計としての機能を有しており、時刻を計ることができる。携帯端末３０の制御部３１が実行する処理については後述する。
【００１４】
携帯端末３０の表示部３２と操作部３３とは、タッチパネルとして一体に構成されている。表示部３２は、例えば液晶パネルを備えている。表示部３２は、上記の洗濯乾燥機１０の各機能や各動作に関する情報を表示する。例えば、表示部１２は、洗濯乾燥機１０における洗濯運転や乾燥運転に関する予約情報等を表示する。また、操作部３３は、上述した洗濯乾燥機１０の各機能や各動作を実行するための複数のタッチボタンを備えている。操作部３３は、洗濯乾燥機１０のユーザによる入力を受け付ける。洗濯乾燥機１０のユーザが操作部３３のボタンを操作することによって様々な情報が入力される。例えば、洗濯乾燥機１０のユーザが、洗濯乾燥機１０における洗濯運転や乾燥運転に関する予約情報等を携帯端末３０の操作部３３から入力する。洗濯乾燥機１０のユーザが操作部３３のボタンを操作すると、操作されたボタンに従った信号が操作部３３から制御部３１に送信される。なお、携帯端末３０の表示部３２と操作部３３とは、別体に構成されていてもよい。
【００１５】
次に、洗濯乾燥機１０が実行する運転について説明する。上記の洗濯乾燥機１０は、図３に示すように、例えば、洗濯運転、乾燥運転、及び洗濯乾燥運転を実行可能に構成されている。洗濯運転は、上記の回転槽１５内に収容されている衣類を洗濯する運転である。乾燥運転は、回転槽１５内に収容されている衣類を乾燥させる運転である。洗濯乾燥運転は、洗濯運転と乾燥運転の両方を実行する運転である。
【００１６】
また、洗濯乾燥機１０は、洗濯運転、乾燥運転、及び洗濯乾燥運転のそれぞれにおいて、複数のコース運転を実行可能に構成されている。例えば、洗濯乾燥機１０は、洗濯運転及び洗濯乾燥運転では、標準コース運転、スピードコース運転、つけおきコース運転等を実行可能である。
【００１７】
図４に示すように、洗濯乾燥運転の標準コース運転では、例えば、１４分間の洗い工程、２回のすすぎ工程、５分間の脱水工程、及び、衣類の重量に応じて８０〜２８５分間の乾燥工程が実行される。また、洗濯乾燥運転のスピードコース運転では、衣類の重量に応じて８〜９分間の洗い工程、１回のすすぎ工程、５分間の脱水工程、及び、衣類の重量に応じて５５〜２２０分間の乾燥工程が実行される。また、洗濯乾燥運転のつけおきコース運転では、つけおき時間を含めて６時間の洗い工程、４回のすすぎ工程、５分間の脱水工程、及び、衣類の重量に応じて８０〜１９５分間の乾燥工程が実行される。洗濯乾燥機１０が実行可能な複数の運転では互いに運転条件が異なっている。例えば、標準コース運転では２回のすすぎ工程が実行されるが、スピードコース運転では１回のすすぎ工程のみが実行される。
【００１８】
図５に示すように、標準コース運転とスピードコース運転では、例えば、９〜１１ｋｇの衣類に対して、１．１杯の洗剤が推奨されている。標準コース運転とスピードコース運転で推奨されている洗剤の量は同じである。一方、つけおきコース運転では、例えば、９〜１１ｋｇの衣類に対して、２．０杯の洗剤が推奨されている。つけおきコース運転で推奨されている洗剤の量は、標準コース運転とスピードコース運転で推奨されている洗剤の量と異なっている。
【００１９】
（予約設定処理）
次に、衣類処理システム１で実行される処理について説明する。衣類処理システム１では、まず洗濯乾燥機１０の制御部１１が、図６に示すように、所定の第１の運転選択画面Ｓ１を表示部１２に表示する。第１の運転選択画面Ｓ１は、洗濯運転、乾燥運転、及び洗濯乾燥運転を選択可能な画面である。洗濯乾燥機１０のユーザが、第１の運転選択画面Ｓ１に表示された洗濯運転、乾燥運転、及び洗濯乾燥運転のいずれかを選択する。洗濯乾燥機１０のユーザは、タッチパネルとして構成されている操作部１３をタッチ操作することによっていずれかの運転を選択する。例えば、洗濯乾燥機１０のユーザが洗濯乾燥運転を選択する。
【００２０】
続いて、洗濯乾燥機１０の制御部１１は、図７に示すように、所定の第２の運転選択画面Ｓ２を表示部１２に表示する。第２の運転選択画面Ｓ２は、複数のコース運転を選択可能な画面である。第２の運転選択画面Ｓ２は、例えば、標準コース運転、つけおきコース運転、及びスピードコース運転等を選択可能な画面である。洗濯乾燥機１０のユーザが、第２の運転選択画面Ｓ２に表示された標準コース運転、つけおきコース運転、及びスピードコース運転等のいずれかを選択する。洗濯乾燥機１０のユーザは、タッチパネルとして構成されている操作部１３をタッチ操作することによっていずれかの運転を選択する。例えば、洗濯乾燥機１０のユーザが標準コース運転を選択する。
【００２１】
続いて、洗濯乾燥機１０の制御部１１は、図８に示すように、所定の予約設定画面Ｓ３を表示部１２に表示する。予約設定画面Ｓ３は、洗濯乾燥機１０が実行する運転の予約設定を受け付ける画面である。洗濯乾燥機１０のユーザが、予約設定画面Ｓ３に表示された複数の予約方法（例えば、おはよう予約、おかえり予約、外から運転）のいずれかを選択する。洗濯乾燥機１０のユーザは、タッチパネルとして構成されている操作部１３をタッチ操作することによっていずれかの予約方法を選択する。例えば、洗濯乾燥機１０のユーザが、予約設定画面Ｓ３に表示された「外から運転」を選択する。「外から運転」は、後述する携帯端末３０からの予約変更を受け付けるための予約方法である。また、予約設定画面Ｓ３では、終了予定時刻の設定を受け付けることもできる。洗濯乾燥機１０の操作部１３が、洗濯乾燥機１０のユーザによる予約設定操作を受け付ける。
【００２２】
操作部１３がユーザによる予約設定操作を受け付けると、予約設定情報が操作部１３から制御部１１に送信される。例えば、洗濯乾燥機１０のユーザが、図６に示す第１の運転選択画面Ｓ１で洗濯乾燥運転を選択し、図７に示す第２の運転選択画面Ｓ２で標準コース運転を選択した場合は、洗濯乾燥運転の標準コース運転が予約されたことを示す予約設定情報が操作部１３から制御部１１に送信される。
【００２３】
次に、衣類処理システム１で実行される予約設定処理について説明する。図９に示すように、予約設定処理のＳ１１では、洗濯乾燥機１０の制御部１１が、予約設定情報を取得したか否かを判断する。制御部１１が予約設定情報を取得した場合（Ｓ１１でＹＥＳ）はＳ１２に進む。上述したように、操作部１３が予約設定操作を受け付けると、予約設定情報が操作部１３から制御部１１に送信される。この場合は、制御部１１がＳ１１でＹＥＳと判断する。一方、制御部１１は、予約設定情報を取得しない場合は、Ｓ１１でＮＯと判断して待機する。
【００２４】
続くＳ１２では、洗濯乾燥機１０の制御部１１が、予約設定を行う。制御部１１は、上記のＳ１１で取得した予約設定情報に基づいて予約設定を行う。例えば、制御部１１は、洗濯乾燥運転の標準コース運転が洗濯乾燥機１０で実行されるように予約設定を行う。その後、Ｓ１２の処理が終了すると、予約設定処理が終了する。
【００２５】
Ｓ１２で予約設定が行われると、その後に予約変更が行われない限り、洗濯乾燥機１０が予約設定された運転を実行する。例えば、所定の時刻が到来したときに、洗濯乾燥機１０が洗濯乾燥運転の標準コース運転を実行する。
【００２６】
（予約変更処理）
上記の衣類処理システム１では、上記の予約設定処理が終了した後に、洗濯乾燥機１０のユーザが設定された予約を変更することを望む場合が考えられる。例えば、洗濯乾燥運転の標準コース運転の予約が設定された後に、洗濯乾燥機１０のユーザがその予約をスピードコース運転又はつけおきコース運転の予約に変更することを望む場合が考えられる。
【００２７】
上記の衣類処理システム１では、携帯端末３０の制御部３１が、図１０に示すように、所定の予約変更画面Ｓ４を表示部３２に表示する。制御部３１は、例えば、上記の予約設定処理が終了した後に、ユーザによって携帯端末３０が操作された場合に予約変更画面Ｓ４を表示する。予約変更画面Ｓ４は、洗濯運転、及び洗濯乾燥運転を選択可能な画面である。なお、図示しないが、予約変更画面Ｓ４では乾燥運転を選択可能であってもよい。また、予約変更画面Ｓ４は、複数のコース運転を選択可能な画面である。予約変更画面Ｓ４は、例えば、標準コース運転、つけおきコース運転（図１０では図示省略）、及びスピードコース運転（図１０では図示省略）等を選択可能な画面である。洗濯乾燥機１０のユーザが、予約変更画面Ｓ４に表示された洗濯運転、及び洗濯乾燥運転のいずれかを選択する。また、洗濯乾燥機１０のユーザが、予約変更画面Ｓ４に表示された標準コース運転、つけおきコース運転（図１０では図示省略）、及びスピードコース運転（図１０では図示省略）等のいずれかを選択する。洗濯乾燥機１０のユーザは、タッチパネルとして構成されている操作部１３をタッチ操作することによっていずれかの運転を選択する。
【００２８】
洗濯乾燥機１０のユーザは、図１０に示す予約変更画面Ｓ４において、上記の予約設定処理で予約した運転と異なる運転を選択する。例えば、洗濯乾燥機１０のユーザは、洗濯乾燥運転の標準コース運転の予約を設定した場合であって、その予約を洗濯乾燥運転のスピードコース運転の予約に変更したい場合は、洗濯乾燥運転のスピードコース運転を選択する。あるいは、洗濯乾燥機１０のユーザは、洗濯乾燥運転のつけおきコース運転の予約に変更したい場合は、洗濯乾燥運転のつけおきコース運転を選択する。
【００２９】
洗濯乾燥機１０のユーザは、図１０に示す予約変更画面Ｓ４で新たな運転を選択した後に予約確定ボタンＢ１をタッチする。そうすると、携帯端末３０の操作部３３がユーザによる予約変更操作を受け付ける。操作部３３がユーザによる予約変更操作を受け付けると、予約変更情報が操作部３３から制御部３１に送信される。例えば、洗濯乾燥機１０のユーザが、図１０に示す予約変更画面Ｓ４で洗濯乾燥運転のスピードコース運転を選択した場合は、洗濯乾燥運転のスピードコース運転の予約に変更されたことを示す予約変更情報が操作部３３から制御部３１に送信される。携帯端末３０の制御部３１は、その予約変更情報を、ネットワーク５０を介して洗濯乾燥機１０の制御部１１に送信する。
【００３０】
次に、衣類処理システム１で実行される予約変更処理について説明する。図１１に示すように、予約変更処理のＳ２１では、洗濯乾燥機１０の制御部１１が、予約変更情報を取得したか否かを判断する。制御部１１が予約変更情報を取得した場合（Ｓ２１でＹＥＳ）はＳ２２に進む。上述したように、携帯端末３０の操作部３３が予約変更操作を受け付けると、携帯端末３０の制御部３１から洗濯乾燥機１０の制御部１１に予約変更情報が送信される。この場合は、洗濯乾燥機１０の制御部１１がＳ２１でＹＥＳと判断する。一方、制御部１１は、予約変更情報を取得しない場合は、Ｓ２１でＮＯと判断して待機する。
【００３１】
続くＳ２２では、洗濯乾燥機１０の制御部１１が、予約変更の前後で推奨される洗剤の量が同じであるか否かを判断する。例えば、洗濯乾燥運転の標準コース運転の予約からスピードコース運転の予約に変更される場合を考える。すなわち、予約変更前の運転が標準コース運転であり、予約変更後の運転がスピードコース運転である場合を考える。図５に示すように、洗濯乾燥運転の標準コース運転とスピードコース運転では、推奨される洗剤の量が同じである。この場合は、Ｓ２２で制御部１１がＹＥＳと判断してＳ２３に進む。
【００３２】
これに対して、例えば、洗濯乾燥運転の標準コース運転の予約からつけおきコース運転の予約に変更される場合を考える。すなわち、予約変更前の運転が標準コース運転であり、予約変更後の運転がつけおきコース運転である場合を考える。図５に示すように、洗濯乾燥運転の標準コース運転とつけおきコース運転では、推奨される洗剤の量が異なる。この場合は、Ｓ２２で制御部１１がＮＯと判断してＳ３１に進む。
【００３３】
Ｓ２２でＹＥＳと判断された後のＳ２３では、洗濯乾燥機１０の制御部１１が、予約変更が可能であると判断する。続くＳ２４では、制御部１１が、変更可能情報を携帯端末３０に送信する。変更可能情報は、例えば、標準コース運転の予約からスピードコース運転の予約に変更できる状態であることを示す情報である。
【００３４】
続くＳ２５では、洗濯乾燥機１０の制御部１１が、設定されている予約を変更する。例えば、制御部１１は、洗濯乾燥運転の標準コース運転の予約が設定されている場合は、その予約をスピードコース運転の予約に変更する。続くＳ２６では、制御部１１が、予約変更後の設定に基づいて洗濯乾燥機１０の運転処理を実行する。したがって、洗濯乾燥機１０が予約変更後の運転を実行する。例えば、所定の時刻が到来したときに、洗濯乾燥機１０が予約変更後のスピードコース運転を実行する。その後、Ｓ２６の処理が終了すると、予約設定処理が終了する。
【００３５】
これに対して、上記のＳ２２でＮＯと判断された後のＳ３１では、洗濯乾燥機１０の制御部１１が、予約変更が不適切であると判断する。続くＳ３２では、制御部１１が、変更不適切情報を携帯端末３０に送信する。変更不適切情報は、例えば、標準コース運転の予約からつけおきコース運転の予約に変更できない状態であることを示す情報である。その後、Ｓ３２の処理が終了すると、予約設定処理が終了する。
【００３６】
（表示処理）
次に、衣類処理システム１で実行される表示処理について説明する。図１２に示すように、表示処理のＳ４１では、携帯端末３０の制御部３１が、変更可能情報又は変更不適切情報を取得したか否かを判断する。制御部３１が変更可能情報又は変更不適切情報を取得した場合（Ｓ４１でＹＥＳ）はＳ４２に進む。上述したように、洗濯乾燥機１０の運転について、予約変更可能な場合（Ｓ２３）は、変更可能情報が洗濯乾燥機１０から携帯端末３０に送信される（Ｓ２４）。また、予約変更不適切な場合（Ｓ３１）は、変更不適切情報が洗濯乾燥機１０から携帯端末３０に送信される（Ｓ３２）。これらの場合は、携帯端末３０の制御部３１がＳ４１でＹＥＳと判断する。一方、携帯端末３０の制御部３１は、変更可能情報又は変更不適切情報を取得しない場合は、Ｓ４１でＮＯと判断して待機する。
【００３７】
続くＳ４２では、携帯端末３０の制御部３１が、Ｓ４１で取得した情報が変更可能情報であるか否かを判断する。Ｓ４１で取得した情報が変更可能情報である場合は、Ｓ４２で制御部３１がＹＥＳと判断してＳ４３に進む。一方、Ｓ４１で取得した情報が変更可能情報でない場合（すなわち、Ｓ４１で取得した情報が変更不適切情報である場合）は、Ｓ４２で制御部３１がＮＯと判断してＳ５１に進む。
【００３８】
Ｓ４２でＹＥＳと判断された後のＳ４３では、携帯端末３０の制御部３１が、変更可能情報を表示部３２に表示する。制御部３１は、例えば、洗濯乾燥運転の標準コース運転の予約からスピードコース運転の予約に変更できる状態であることを示す情報を表示部３２に表示する。
【００３９】
これに対して、Ｓ４２でＮＯと判断された後のＳ５１では、携帯端末３０の制御部３１が、注意喚起情報を表示部３２に表示する。制御部３１は、図１３に示すように、所定の注意喚起画面Ｓ５を表示部３２に表示する。注意喚起画面Ｓ５は、注意喚起情報をユーザに報知する画面である。注意喚起情報は、予約が変更されると不都合が生じる可能性があることを報知する情報である。注意喚起情報は、例えば、標準コース運転の予約からつけおきコース運転の予約に変更されると、推奨される洗剤量が異なるため、効果が十分に得られない場合があることを示す情報である。また、注意喚起情報は、ユーザが予約変更を承認するか否かを確認するための情報である。その後、Ｓ４３又はＳ５１の処理が終了すると、予約設定処理が終了する。
【００４０】
洗濯乾燥機１０のユーザは、携帯端末３０の表示部３２に表示された注意喚起画面Ｓ５（図１３参照）を視たうえで運転の予約変更を実行したい場合は決定ボタンＢ２をタッチする。そうすると、携帯端末３０の操作部３３がユーザによる変更承認操作を受け付ける。操作部３３がユーザによる変更承認操作を受け付けると、変更承認情報が操作部３３から制御部３１に送信される。携帯端末３０の制御部３１は、その変更承認情報を、ネットワーク５０を介して洗濯乾燥機１０の制御部１１に送信する。洗濯乾燥機１０の制御部１１は、変更承認情報を受信すると、運転の予約変更が可能であると判断する。制御部１１は、図１１に示すＳ３１で予約変更が不適切であると判断した場合であっても、変更承認情報を受信した場合は、予約変更が可能であると判断する。一方、洗濯乾燥機１０のユーザは、運転の予約変更を実行しない場合は、表示部３２に表示されたキャンセルボタンＢ３をタッチする。そうすると、運転の予約変更が実行されない。
【００４１】
以上、第１実施例に係る衣類処理システム１について説明した。上記の説明から明らかなように、衣類処理システム１は、洗濯乾燥機１０と、洗濯乾燥機１０と通信可能な携帯端末３０とを備えている。洗濯乾燥機１０は、予約設定を受け付ける操作部１３を備えている。洗濯乾燥機１０は、例えば、洗濯乾燥運転の標準コース運転、スピードコース運転、及び、つけおきコース運転等を実行可能に構成されている。携帯端末３０は、予約変更を受け付ける操作部３３と、表示部３２とを備えている。この衣類処理システム１では、例えば、洗濯乾燥機１０の操作部１３が、洗濯乾燥運転の標準コース運転の予約設定を受け付けた場合であって、携帯端末３０の操作部３３が標準コース運転の予約からつけおきコース運転の予約への予約変更を受け付けた場合に、予約変更の前後で推奨される洗剤の量に基づいて、標準コース運転の予約からつけおきコース運転の予約への変更が可能であるか否かを判断する。予約変更が不適切である状態と判断された場合は（図１１のＳ２２でＮＯ、Ｓ３１、Ｓ３２参照）、携帯端末３０の表示部３２が注意喚起情報を表示する（図１２のＳ４１でＹＥＳ、Ｓ４２でＮＯ、Ｓ５１、図１３参照）。
【００４２】
この構成によれば、例えば、予約変更前の標準コース運転では推奨される洗剤の量が少なく、予約変更後のつけおきコース運転では推奨される洗剤の量が多いので、注意喚起情報が携帯端末３０の表示部３２に表示される。これによって、予約変更後のつけおきコース運転で洗剤の量が不足する状態であっても、ユーザに注意喚起情報を報知することができる。また、例えば、予約変更前の運転がつけおきコース運転であり、予約変更後の運転が標準コース運転である場合は、予約変更後の標準コース運転で洗剤が超過する状態になるが、そのような状態であっても、ユーザに注意喚起情報を報知することができる。そのため、予約変更によって不都合が生じる可能性があることをユーザに知らせることができる。
【００４３】
また、上記の衣類処理システム１では、予約変更の前後で推奨される洗剤の量に基づいて、例えば、標準コース運転の予約からスピードコース運転の予約への変更が可能である状態と判断された場合は、洗濯乾燥機１０が変更に基づく処理を実行する。例えば、予約変更後のスピードコース運転で推奨される洗剤の量が予約変更前の標準コース運転で推奨される洗剤の量と同じであるので、洗濯乾燥機１０が予約変更後のスピードコース運転を実行する。この構成によれば、予約変更によって不都合が生じる可能性が低い場合に予約変更後の運転を実行することができる。
【００４４】
（対応関係）
上記で説明した洗濯乾燥運転の標準コース運転が「第１衣類処理運転」の一例である。洗濯乾燥運転のスピードコース運転が「第２衣類処理運転」の一例である。洗濯乾燥運転のつけおきコース運転が「第２衣類処理運転」の他の一例である。予約変更の前後で推奨される洗剤の量が「所定の条件」の一例である。
【００４５】
以上、一実施例について説明したが、具体的な態様は上記実施例に限定されるものではない。以下の説明において、上記の説明における構成と同様の構成については、同一の符号を付して説明を省略する。
【００４６】
（第２実施例）
上記の第１実施例では、図１１に示すＳ２２において、洗濯乾燥機１０の制御部１１が、予約変更の前後で推奨される洗剤の量が同じであるか否かを判断していたが、この構成に限定されるものではない。第２実施例では、図１４に示すように、洗濯乾燥機１０の制御部１１が、Ｓ２２に代えてＳ１２２の処理を実行してもよい。
【００４７】
Ｓ１２２では、洗濯乾燥機１０の制御部１１が、予約変更の前後で推奨される洗剤の質（所定の条件の他の一例）が同じであるか否かを判断する。例えば、洗濯乾燥運転の標準コース運転の予約からスピードコース運転の予約に変更される場合を考える。すなわち、予約変更前の運転が標準コース運転であり、予約変更後の運転がスピードコース運転である場合を考える。また、標準コース運転では、例えば、粉末洗剤が推奨されているとする。スピードコース運転では、例えば、液体洗剤が推奨されるとする。この場合は、予約変更の前後で推奨される洗剤の質が同じでないので、Ｓ１２２で制御部１１がＮＯと判断してＳ３１に進む。一方、予約変更の前後で推奨される洗剤の質が同じである場合は、Ｓ１２２で制御部１１がＹＥＳと判断してＳ２３に進む。
【００４８】
Ｓ１２２でＹＥＳと判断された後のＳ２３では、洗濯乾燥機１０の制御部１１が、運転の予約変更が可能であると判断する。一方、Ｓ１２２でＮＯと判断された後のＳ３１では、洗濯乾燥機１０の制御部１１が、運転の予約変更が不適切であると判断する。この構成によっても、上記の第１実施例と同様に、予約変更によって不都合が生じる可能性があることをユーザに知らせることができる。なお、不都合が生じる可能性があっても、ユーザによる変更承認操作が受け付けられた場合には、運転の予約変更が実行される。
【００４９】
（第３実施例）
上記の第１実施例では、図１１に示すＳ２２において、洗濯乾燥機１０の制御部１１が、予約変更の前後で推奨される洗剤の量が同じであるか否かを判断していたが、この構成に限定されるものではない。第３実施例では、図１５に示すように、洗濯乾燥機１０の制御部１１が、Ｓ２２に代えてＳ２２２の処理を実行してもよい。
【００５０】
Ｓ２２２では、洗濯乾燥機１０の制御部１１が、予約変更の前後で運転の終了予定時刻（所定の条件の他の一例）が同じであるか否かを判断する。図１６に示すように、例えば、洗濯運転の標準コース運転では、所要時間が８０分であるとする。また、洗濯運転のおやすみコース運転でも、所要時間が８０分であるとする。この状態で、例えば、洗濯運転の標準コース運転の予約からおやすみコース運転の予約に変更される場合を考える。すなわち、予約変更前の運転が標準コース運転であり、予約変更後の運転がおやすみコース運転である場合を考える。この場合は、予約変更の前後で運転の終了予定時刻が同じなので、Ｓ２２２で制御部１１がＹＥＳと判断してＳ２３に進む。一方、予約変更の前後で運転の終了予定時刻が同じでない場合は、Ｓ２２２で制御部１１がＮＯと判断してＳ３１に進む。例えば、予約変更前の運転が標準コース運転であり、予約変更後の運転が念入りコース運転である場合は（図１６参照）、Ｓ２２２で制御部１１がＮＯと判断する。
【００５１】
Ｓ２２２でＹＥＳと判断された後のＳ２３では、洗濯乾燥機１０の制御部１１が、運転の予約変更が可能であると判断する。一方、Ｓ２２２でＮＯと判断された後のＳ３１では、洗濯乾燥機１０の制御部１１が、運転の予約変更が不適切であると判断する。この構成によっても、上記の第１実施例と同様に、予約変更によって不都合が生じる可能性があることをユーザに知らせることができる。なお、不都合が生じる可能性があっても、ユーザによる変更承認操作が受け付けられた場合には、運転の予約変更が実行される。
【００５２】
（第４実施例）
上記の第１実施例では図１１に示すＳ２２の処理が実行され、第２実施例では図１４に示すＳ１２２の処理が実行され、第３実施例では図１５に示すＳ２２２の処理が実行されていたが、この構成に限定されるものではない。第４実施例では、図１７に示すように、洗濯乾燥機１０の制御部１１が、Ｓ２２、Ｓ１２２、及びＳ２２２の処理の全てを実行する。制御部１１は、Ｓ２２、Ｓ１２２、及びＳ２２２の処理の全てにおいてＹＥＳと判断した場合に、Ｓ２３で予約変更が可能であると判断する。
【００５３】
また、更に他の実施例では、洗濯乾燥機１０の制御部１１が、図１７に示すＳ２２、Ｓ１２２、及びＳ２２２の処理のいずれか２つを実行する構成であってもよい（図示省略）。
【００５４】
（第５実施例）
第５実施例に係る衣類処理システム１について図面を参照して説明する。第５実施例に係る衣類処理システム１では、図１８に示すように、運転条件設定処理が実行される。運転条件設定処理のＳ６１では、洗濯乾燥機１０の制御部１１が、予約が変更されたか否かを判断する。例えば、図１１、図１４、図１５、及び図１７に示すＳ２５で制御部１１が予約を変更した場合は、予約が変更された場合に該当するので、図１８に示すＳ６１で制御部１１がＹＥＳと判断してＳ６２に進む。一方、予約が変更されない場合は、Ｓ６１で制御部１１がＮＯと判断して運転条件設定処理を終了する。
【００５５】
続くＳ６２では、制御部１１が、ユーザ設定の運転条件があるか否かを判断する。ユーザ設定の運転条件は、洗濯乾燥機１０のユーザが設定した運転条件である。図４に示すように、例えば、洗濯乾燥運転のスピードコース運転では、メーカ出荷時のデフォルト設定では１回のすすぎ工程が実行される。洗濯乾燥機１０のユーザは、例えば、スピードコース運転で１回ではなく２回のすすぎ工程が実行されるように運転条件を変更することができる。洗濯乾燥機１０のユーザは、メーカ出荷時のデフォルト設定の運転条件から、ユーザ設定の運転条件に変更することができる。洗濯乾燥機１０は、図４に示す複数の運転のそれぞれで運転条件が変更可能に構成されている。ユーザ設定の運転条件は、制御部１１のメモリ２２に記憶される。制御部１１は、予約変更後の運転についてメモリ２２に記憶されているユーザ設定の運転条件がある場合は、Ｓ６２でＹＥＳと判断してＳ６３に進む。例えば、予約変更後の運転がスピードコース運転である場合であって、２回のすすぎ工程が実行される運転条件がメモリ２２に記憶されている場合は、Ｓ６２で制御部１１がＹＥＳと判断する。一方、制御部１１は、ユーザ設定の運転条件がメモリ２２に記憶されていない場合は、Ｓ６２でＮＯと判断してＳ６４に進む。
【００５６】
Ｓ６２でＹＥＳと判断された後のＳ６３では、制御部１１が、メモリ２２に記憶されているユーザ設定の運転条件をセットする。例えば、制御部１１は、洗濯乾燥運転のスピードコース運転が実行される際に２回のすすぎ工程が実行されるように運転条件をセットする。
【００５７】
一方、Ｓ６２でＮＯと判断された後のＳ６４では、制御部１１が、メーカ設定の運転条件をセットする。メーカ設定の運転条件は、洗濯乾燥機１０のメーカが設定した運転条件である。メーカ設定の運転条件は、メーカ出荷時のデフォルト設定の運転条件である。例えば、洗濯乾燥運転のスピードコース運転では、１回のすすぎ工程が実行される運転条件がメーカ設定の運転条件である。その後、Ｓ６３又はＳ６４の処理が終了すると、運転条件設定処理が終了する。
【００５８】
上記のＳ６３でユーザ設定の運転条件がセットされた場合は、洗濯乾燥機１０の制御部１１は、図１１に示すＳ２６の処理を実行する際に、ユーザ設定の運転条件に基づいて予約変更後の運転処理を実行する。したがって、洗濯乾燥機１０がユーザ設定の運転条件にしたがった運転を実行する。例えば、洗濯乾燥機１０が、２回のすすぎ工程が実行されるように予約変更後のスピードコース運転を実行する。
【００５９】
一方、上記のＳ６４でメーカ設定の運転条件がセットされた場合は、洗濯乾燥機１０の制御部１１は、図１１に示すＳ２６の処理を実行する際に、メーカ設定の運転条件に基づいて予約変更後の運転処理を実行する。したがって、洗濯乾燥機１０がメーカ設定の運転条件にしたがった運転を実行する。例えば、洗濯乾燥機１０が、１回のすすぎ工程が実行されるように予約変更後のスピードコース運転を実行する。
【００６０】
以上、第５実施例に係る衣類処理システム１について説明した。上記の説明から明らかなように、第５実施例に係る衣類処理システム１では、予約変更後の運転（例えば、スピードコース運転）について予め設定されているユーザ設定の運転条件又はメーカ設定の運転条件に基づいて洗濯乾燥機１０が予約変更後の運転を実行する。この構成によれば、予約変更後の運転に適した運転条件で運転を実行することができる。なお、ユーザ設定の運転条件又はメーカ設定の運転条件が「予め設定されている運転条件」の一例である。
【００６１】
（第６実施例）
第６実施例に係る衣類処理システム１について図面を参照して説明する。第６実施例に係る衣類処理システム１では、図１９に示すように、運転条件変更処理が実行される。
【００６２】
運転条件変更処理のＳ８１では、洗濯乾燥機１０の制御部１１が、つけおきコース運転の予約からその他のコース運転の予約へ変更されたか否かを判断する。つけおきコース運転の予約からその他のコース運転の予約へ変更された場合は、Ｓ８１で制御部１１がＹＥＳと判断してＳ９１に進む。そうでない場合は、Ｓ８１で制御部１１がＮＯと判断してＳ８２に進む。
【００６３】
Ｓ８１でＹＥＳと判断された後のＳ９１では、洗濯乾燥機１０の制御部１１が、予約変更後の他のコース運転におけるすすぎ回数を１回増加させる。例えば、予約変更後の運転が標準コース運転である場合は、すすぎ回数を２回から３回に変更する（図４参照）。
【００６４】
Ｓ８１でＮＯと判断された後のＳ８２では、洗濯乾燥機１０の制御部１１が、スピードコース運転以外の運転の予約からスピードコース運転の予約へ変更されたか否かを判断する。スピードコース運転以外の運転の予約からスピードコース運転の予約へ変更された場合は、Ｓ８２で制御部１１がＹＥＳと判断してＳ９２に進む。そうでない場合は、Ｓ８２で制御部１１がＮＯと判断してＳ８３に進む。
【００６５】
Ｓ８２でＹＥＳと判断された後のＳ９２では、制御部１１が、予約変更後のスピードコース運転において、予約変更前の運転におけるすすぎ回数を適用する。例えば、予約変更前の運転がおやすみコース運転である場合は、制御部１１は、予約変更後のスピードコース運転において２回のすすぎ工程を実行する（図４参照）。
【００６６】
Ｓ８２でＮＯと判断された後のＳ８３では、制御部１１が、スピードコース運転の予約からその他のコース運転の予約へ変更されたか否かを判断する。スピードコース運転の予約からその他のコース運転の予約へ変更された場合は、Ｓ８３で制御部１１がＹＥＳと判断してＳ９３に進む。そうでない場合は、Ｓ８３で制御部１１がＮＯと判断して運転条件変更処理を終了する。
【００６７】
Ｓ８３でＹＥＳと判断された後のＳ９３では、制御部１１が、予約変更後の運転におけるすすぎ回数を１回に設定する。例えば、予約変更後の運転がおやすみ運転である場合は、制御部１１は、すすぎ回数を２回から１回に変更する（図４参照）。その後、Ｓ９３の処理が終了すると、運転条件変更処理が終了する。
【００６８】
以上のように、衣類処理システム１では、制御部１１が予約変更を実行する際に、予約変更後の運転における運転条件を変更してもよい。この構成によれば、例えば、つけおきコース運転の予約から標準コース運転の予約に変更された場合には、予約変更の前後で推奨される洗剤の量が大きく異なる。そうすると、予約変更の標準コース運転が実行された場合に、洗剤の量が多くて十分なすすぎを行えないことが考えられる。しかしながら、上記の構成によれば、予約変更後の運転におけるすすぎ回数を変更することによって、十分なすすぎを行うことができる。また、例えば、スピードコース運転の予約へ変更された場合は、予約変更前の運転のために、スピードコース運転で推奨される洗剤の質（例えば、液体洗剤）と異なる質（例えば、粉末洗剤）の洗剤が投入されている可能性がある。この場合は、予約変更前の運転におけるすすぎ回数を適用することによって、十分なすすぎを行うことができる。また、スピードコース運転の予約からその他のコース運転の予約へ変更された場合は、すすぎ回数を１回にすることにより、余分な水やエネルギー使用を防ぐことができる。
【００６９】
（その他の実施例）
上記の実施例では、衣類処理装置の一例として洗濯乾燥機１０について説明したが、この構成に限定されるものではない。衣類処理装置の他の一例としては、例えば、洗濯機又は乾燥機がある。
【００７０】
第１衣類処理運転及び第２衣類処理運転は特に限定されるものではない。例えば、第１衣類処理運転として、例えば、図３に示すつけおきコース運転、スピードコース運転等が選択されてもよい。また、例えば、第２衣類処理運転として、例えば、図３に示す標準コース運転、メモリコース運転等が選択されてもよい。
【００７１】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７２】
１：衣類処理システム、１０：洗濯乾燥機、１１：制御部、１２：表示部、１３：操作部、１５：回転槽、１６：モータ、１７：ヒータ、１８：ファン、１９：筐体、２９：洗剤投入口、３０：携帯端末、３１：制御部、３２：表示部、３３：操作部、５０：ネットワーク
【図１】
2020000427.tif 000003
【図２】
2020000427.tif 000004
【図３】
2020000427.tif 000005
【図４】
2020000427.tif 000006
【図５】
2020000427.tif 000007
【図６】
2020000427.tif 000008
【図７】
2020000427.tif 000009
【図８】
2020000427.tif 000010
【図９】
2020000427.tif 000011
【図１０】
2020000427.tif 000012
【図１１】
2020000427.tif 000013
【図１２】
2020000427.tif 000014
【図１３】
2020000427.tif 000015
【図１４】
2020000427.tif 000016
【図１５】
2020000427.tif 000017
【図１６】
2020000427.tif 000018
【図１７】
2020000427.tif 000019
【図１８】
2020000427.tif 000020
【図１９】
2020000427.tif 000021